(57)【要約】      （修正有）【課題】再生中の音楽に合わせて演奏者にドラム等の楽器を演奏させて両者を合成して聞くことを可能にするのであるが、その演奏行為が他の人からは見えないようにするもどのスイッチを操作すればどの音が鳴るかが分かるようになっている状態で的確に演奏させることが出来る電子楽器を提供する。【解決手段】複数種類の楽器の演奏データを記憶する記憶部と、記憶部から演奏データを読み出して再生する再生部と、複数の演奏データの各々に対応して再生のトリガとなる複数個のスイッチと、音楽プレーヤなどの外部音響機器に接続するための接続部と、接続部から取り込んだ音声に前記再生部が出力する演奏データを重畳して出力端子に出力する重畳部とを、複数個のスイッチの各々がどの演奏データに係るものであるかが手探りで分かるような且つ衣類などのポケットに入る程度の小さなサイズのケースに納める。【選択図】図１
0003154465.tif 000002
【実用新案登録請求の範囲】
【請求項１】
複数種類の楽器の演奏データを記憶するための記憶部と、この記憶部から演奏データを読み出して再生する再生部と、複数の演奏データの各々に対応して再生のトリガとなる複数個のスイッチと、音楽プレーヤなどの外部音響機器に接続するための接続部と、この接続部から取り込んだ音声に前記再生部が出力する演奏データを重畳して出力端子に出力する重畳部と、をケースに納めた電子楽器であって、このケースの全体は衣類などのポケットに入る程度の小さなサイズのものであり、且つ前記複数個のスイッチの各々がポケットの中に入れたまま手探りで複数種類の演奏データの何れに対応するものであるかが分かるように設けられていることを特徴とする、外部音響機器に接続して用いる電子楽器。
【請求項２】
前記ケースの形状と前記スイッチとの位置関係から、スイッチと演奏データとの対応関係が分かるように構成されている、請求項１に記載の外部発音装置に接続して用いる電子楽器。
【請求項３】
前記スイッチは各々の形状が異なるものであることにより、スイッチと演奏データとの対応関係が分かるように構成されている、請求項１に記載の外部発音装置に接続して用いる電子楽器。
【請求項４】
前記スイッチは各々に設けられた突起などの識別手段が異なるものであることにより、スイッチと演奏データとの対応関係が分かるように構成されている、請求項１に記載の外部発音装置に接続して用いる電子楽器。
【請求項５】
前記複数個のスイッチの位置関係により、スイッチと演奏データとの対応関係が分かるように構成されている、請求項１に記載の外部発音装置に接続して用いる電子楽器。
【請求項６】
前記複数種類の楽器の演奏データが打楽器の演奏データである、請求項１に記載の外部発音装置に接続して用いる電子楽器。
【考案の詳細な説明】
【技術分野】
【０００１】  この考案は、各種の音声ファイルフォーマット形式で圧縮された楽曲データ等の再生装置やテレビ放送やラジオ放送等の受信機のような、外部音響機器に接続してドラム等の各種楽器の音を合成して聞かせる電子楽器に係り、特にこの考案の電子楽器をポケットに入れたままの手探り状態で、複数種類の音の中から一を選択するための複数個のスイッチを的確に操作することが出来るようにしたことを特徴とする、携帯型の外部音響機器に接続して用いる電子楽器に関するものである。
【背景技術】
【０００２】  音楽再生装置や放送受信装置から聞こえる音楽に合わせて身体を動かしリズムを取ると言うようなことは日常良く見られる音楽の楽しみ方の一つである。近年超小型でありながらも膨大な記憶容量を有したＭＰ３形式等の音楽データを再生するための携帯型のミュージック・プレーヤが普及して来ており、通勤通学途中などどこにいても音楽等を楽しむことが出来るようになっている。
【考案の開示】
【考案が解決しようとする課題】
【０００３】  しかしながら音楽に合わせて身体を動かしリズムを取ることから一歩進めて、実際にドラム等の打楽器の音やその他の楽器の音を発生することが可能で、この音を前記音楽に合成し得るようなものがあれば、より本格的に音楽を楽しむことが出来るはずである。【０００４】  一方このように自分でドラムやその他の楽器を演奏しているかのようにリズムが取れるとは言っても、例えば通勤通学の電車内で足でリズムを刻んだり、腕を振ったり指を叩くような仕草が他の人に見られるのは決して好ましいものではない。今日ではイヤホンやヘッドホンを付けて音楽を聞く姿は一般的なものとなってはいるが、それ以上の行為は憚られるのが一般的な感覚だからである。【０００５】  従ってこの考案は、聞いている音楽に合わせて自分でドラム等の楽器を演奏しているかのようにして実際にドラム等の楽器の音を発生させ音楽に合成（重畳）させて聞くことを可能にするのであるが、その行為（演奏操作）が他の人からは見えないようにするも的確に（どのスイッチを操作すればどの音が鳴るかが分かるようになっている状態で）演奏することが出来るような、そうした電子楽器を提供することを課題とする。
【課題を解決するための手段】
【０００６】  上記課題は、複数種類の楽器の演奏データを記憶するための記憶部と、この記憶部から演奏データを読み出して再生する再生部と、複数の演奏データの各々に対応して再生のトリガとなる複数個のスイッチと、音楽プレーヤなどの外部音響機器に接続するための接続部と、この接続部から取り込んだ音声に前記再生部が出力する演奏データを重畳して出力端子に出力する重畳部と、をケースに納めた電子楽器であって、このケースの全体は衣類などのポケットに入る程度の小さなサイズのものであり、且つ前記複数個のスイッチの各々がポケットの中に入れたまま手探りで複数種類の演奏データの何れに対応するものであるかが分かるように設けられていることを特徴とする、外部音響機器に接続して用いる電子楽器とすることにより達成される。【０００７】  複数個のスイッチは複数種の楽器の演奏データに一対一で対応しているため、何れかのスイッチが操作されると、再生部はこれに対応する演奏データを記憶部から読み出してスイッチが押されている間だけ重畳部に出力する。この際に何れのスイッチを押しても異なる演奏が聞かれるようになっている。【０００８】  この電子楽器には接続部が設けられており、この部位に手持ちのミュージック・プレーヤやラジオなどの外部音響機器の出力端を接続することが出来る。従って音楽等の音データを取り込み先は幾らでも見つけることが可能であり、このための追加の出費は不要である（仮にこの電子楽器自体がミュージック・プレーヤの機能を備えたとしても別問題である）。なお近年、携帯電話機がミュージック・プレーヤやラジオやデジタル放送受信テレビの機能を備えつつある。【０００９】  前記接続部を介して外部音響機器から入力された音声と前記再生部から出力された楽器の演奏音とは、前記重畳部にて合成されて出力端子に出力される。従ってこの出力端子にイヤホンやヘッドホンを挿すことにより両方の合成音声を聞くことが出来るのである。【００１０】  ところでこのケースはポケットに収納出来る程度の小さなサイズのものとされており、前記複数個のスイッチの各々がポケットの中に入れたまま手探りで複数の演奏データの何れに対応するものであるかが分かるように設けられていることから、ポケットから取り出すことなく打楽器の演奏を自由に行うことが出来る。この構成によりたとえ通勤通学の電車内であったとしても他人に気付かれることがないため、他人の目を気にする必要がないのである。【００１１】  次に請求項２の考案は、前記ケースの形状と前記スイッチとの位置関係から、スイッチと演奏データとの対応関係が分かるように構成されているものである。例えばケースが回転対称の形状を呈しており且つスイッチの配置も回転対称であるとすると、ポケットの中で手探りしたのでは、どの音がどのスイッチで出るのかがまったくの当て推量になってしまう。しかしながらケースの形状を工夫すること手探りで所要のスイッチの在処が分かるようになる。【００１２】  次に請求項３の考案は、前記スイッチは各々の形状が異なるものであることにより、スイッチと演奏データとの対応関係が分かるように構成されているものである。例えば３つのスイッチを設ける場合では、一例○☆□などとすればすぐに形���が分かるので、対応する演奏音も手探りで分かることになる。【００１３】  次に請求項４の考案は、前記スイッチは各々に設けられた突起などの識別手段が異なるものであることにより、スイッチと演奏データとの対応関係が分かるように構成されているものである。例えばスイッチのクリック感を各々異なるようにしたりスイッチ毎に表面素材や表面模様を違えてみたりすることによって識別手段とすることが出来る。【００１４】  次に請求項５の考案は、前記複数個のスイッチの位置関係により、スイッチと演奏データとの対応関係が分かるように構成されているものである。例えば円形のケースに３つのスイッチを設ける場合では、一例として周縁部に一つ、残りの二つを周縁部を外して非対称に設けるようにすると、周縁部の一つが判別の目印となって全てのスイッチが判別される。【００１５】  次に請求項６の考案では、複数種類の楽器の演奏データが打楽器の演奏データであるものとしている。この考案では各種の楽器を模すことが出来るが、音楽に合わせて身体を動かしてリズムを取る目的により適っているのは打楽器であると考えられる。従ってこれは外部発音装置に接続して用いる電子打楽器である。
【考案の効果】
【００１６】  この考案の電子楽器によれば、外部音響機器に接続することが出来、この出力である音楽等を聞きながらこれに合わせて自分でドラム等の楽器を演奏しているかのようにして、実際に楽器の音を発生させて音楽に合成させて聞くことが出来る。そしてこの際にこの考案の電子楽器をポケットに入れたままでも、どのスイッチを押せばどの音が鳴るかが分かるように構成されているものであることによって、スイッチを見ることなくポケットの中で操作することが可能であり、これにより楽器を演奏していることが他人からは見えないようにして遊ぶことが出来ると言う効果を奏する。
【考案を実施するための最良の形態】
【００１７】  以下この考案の実施の形態を図面を参照しながら説明するが、この考案はこれ等の実施形態にのみ限定されるものではない。【００１８】  （第１実施形態）
図１乃至図３はこの考案の第１実施形態の電子打楽器１を表わす。全体は楕円形状であるが、一部にケース湾曲部１０を有してこの部位に親指の付け根の膨らみが当るように握られる。この握った指の人差し指〜薬指が当る位置にスイッチ１１乃至スイッチ１３の３つのスイッチが設けられている。このようなケースの形状とスイッチの配置とを備えているため、ポケットに入れたままでも上述のような握り方をすることでどのスイッチが何であるかが手探りの状態でも分かるのである。なおここでは接続して使用する外部音響機器としては携帯音楽プレーヤＭＰを想定している（図１に鎖線で表す）。【００１９】  この電子打楽器１は外部に入力端子１４と出力端子１５とを備えており、入力端子１４には外部の携帯音楽プレーヤＭＰの出力が電気的に接続され、また出力端子１５にはヘッドホンが接続される。また内部に納められた電子打楽器回路２には、３つのドラム音を記録するためのドラムデータ記憶部２０と、このドラムデータ記憶部２０からドラムデータを読み出してデコードするコーデック２２と、コーデック２２から出力されるアナログ情報としてのドラム音と入力端子１４から入力された音楽とをミキシング（重畳）するミキサ２２と、これら各部を制御するための重畳制御部２１と、３つのドラム音の内から１つを選んで押すためのスイッチ１１，１２，１３とから構成されている。【００２０】  ３つのスイッチ１１，１２，１３が何れも押されていないＯＦＦの状態では、携帯音楽プレーヤＭＰから入力端子１４を経て入力された音楽はそのまま出力端子１５を経てヘッドホンに出力される。ここまでは音楽にドラム音を重畳させない場合の使用法である。次に音楽にドラム音を重畳させたくなった場合には３つのスイッチ１１，１２，１３の何れか一を押すように操作すると、図３のフローチャートで示すように重畳制御部２１がＯＮ状態のスイッチに対応するデジタル情報としてのドラムデータをドラムデータ記憶部２０から読み出し（Ｓ１０）、このドラムデータをコーデック２２にデコードさせて（Ｓ１１）、この出力であるアナログ情報としてのドラム音を入力端子１４を経て入力されたアナログ情報としての音楽と共にミキサ２３でミキシング処理を行う（Ｓ１２）。このドラム音が重畳された音楽は出力端子１５に出力され（Ｓ１３）、ヘッドホンを通して聞かれることになる。【００２１】  （第２実施形態）
図４で表したこの実施形態の電子打楽器３は、その内部に納められた電子打楽器回路に付いては上述した第１実施形態のそれに倣うものであるが、特に３つのスイッチ３１，３２，３３の配置に特徴を有しており、この特徴の故にこの電子打楽器３をポケットに入れたままであってもどのスイッチが何であるかが手探りの状態で分かるようになっている。【００２２】  すなわち第１のスイッチ３１が、電子打楽器３のケースの中心線３０の位置に配置され、第２のスイッチ３２は中段に於いて中心線３０から左に外れるように配置され、第３のスイッチ３３は下段に於いて中心線３０から右に外れるように配置されている。従ってこの配置になるのはケースを正しくこの位置に向けた時のみであって、例えばこれを逆さまに握った状態ではこのスイッチの配置は得られないようになっている。【００２３】  （第３実施形態）
図５で表したこの実施形態の電子打楽器４は、ケースの中心線４０の位置に、「○□△」の形状が異なる３つのスイッチ４１，４２，４３を並べて配置したものである。なおその内部に納められた電子打楽器回路に付いては上述の第１実施形態に倣う。【００２４】  この「○□△」をその感触で覚えてしまえば、この電子打楽器４をポケットに入れたままであってもどのスイッチが何であるかが手探りで分かる。この配置を覚えるのは誰にでも極めて容易である。【００２５】  （第４実施形態）
図６で表したこの実施形態の電子打楽器５は、その内部に納められた電子打楽器回路に付いては上述の第１実施形態のそれに倣うものであるが、ケースが円形状を呈しており、３つのスイッチ５１，５２，５３が３回対称の位置に配置されていると共に、それぞれのスイッチにはそれと分かる突起の目印が設けられている点に特徴を有している。【００２６】  この突起の目印があることで、３つのスイッチ５１，５２，５３はその何れがどのドラム音に対応するものであるかが手探りでも分かるのである。【００２７】  （第５実施形態）
図７で表したこの実施形態の電子打楽器６には、一番大きなスイッチ６１と、２番目に大きなスイッチ６２と、一番小さなスイッチ６３とが設けられている。なお符号６０は中心線を指す。なおこれは重要な特徴ではないのであるが、３つのスイッチ６１，６２，６３は中心線６０に対して上述した第２実施形態の配置と同じ配置を取っている。【００２８】  この電子打楽器６の内部に納められた電子打楽器回路に付いては上述した第１実施形態の電子打楽器回路２に倣うが、何れにせよ３つのスイッチ６１，６２，６３の大きさが異なることにより、電子打楽器６がポケットに入れたままであっても、どのスイッチを押せばどのドラム音が聞かれるかが手探りの状態で分かるようになっている。【００２９】  （第６実施形態）
図８は第６実施形態の電子打楽器７のブロック図を表したものであるが、上述の第１実施形態のものに録音部７４と入力端子８６と録音スイッチ８７とを設けた点に特徴を有している。この入力端子８６には外部の音源が接続され、音源が用意したドラムデータを録音部７４がこの入力端子８６を介して取り込みドラムデータ記憶部７０に記憶する。入力端子８６に接続される音源にはシンセサイザやパーソナルコンピュータや携帯電話機を上げることが出来る。従ってインターネット接続によってダウンロードすることが可能な携帯電話機からドラムデータをダウンロードして、あるいは自作のドラムデータをシンセサイザやパーソナルコンピュータから取り込んで、ドラムデータ記憶部７０に記憶させておき利用することが可能になる。【００３０】  なお図中符号７は電子打楽器を、７０はドラムデータ記憶部を、７１は重畳制御部を、７２はコーデックを、７３はミキサを、８１〜８３はスイッチを、８４は入力端子を、８５は出力端子を、８７は前記録音部７４をＯＮ状態にするための録音スイッチを指す。【００３１】  （第７実施形態）
図９は第７実施形態の電子楽器９を表したものであるが、上述した第１〜第６実施形態のものが電子打楽器に関するものであると共に、各々のスイッチが押しボタンスイッチであるのに対して、第７実施形態は電子打楽器ではなく効果音を出力する電子楽器であると共に、各々のスイッチがスライダック９１，９２及び９３を備えたものである点に特徴を有する。すなわち全体は逆Ｖ字形状を呈し、左右の翼の形状と、スライダック９１，９２，９３の配置と、入力端子９４及び出力端子９５の位置から、ポケットに入れたままでもどのスライダックが何であるかが手探りの状態でも分かるように構成されている。符号９０はケース湾曲部を指す。【００３２】  この電子楽器９は外部に入力端子９４と出力端子９５とを備えており、入力端子９４には外部の携帯音楽プレーヤ等の出力が電気的に接続され、出力端子９５にはヘッドホンが接続される。また内部に納められた電子楽器回路２４には３つの効果音を記録するための効果音データ記憶部２５と、この効果音データ記憶部２５から効果音データを読み出してデコードするコーデック２２と、コーデック２２から出力されるアナログ情報としての効果音と入力端子９４から入力された音楽とをミキシングするミキサ２３と、これら各部を制御するための重畳制御部２６と、３つの効果音の内から１つを選んでテンポを増減したり再生を逆転させたりするために、左右何れの方向にも回転可能に設けられたスライダック９１，９２，９３とから構成されている。【００３３】  ３つのスライダック９１，９２，９３が何れも回転させられていないＯＦＦの状態では、携帯音楽プレーヤ等から入力端子９４を経て入力された音楽はそのまま出力端子９５を経てヘッドホンに出力されるのであるが、３つのスライダック９１，９２，９３の何れか一を左右何れかの方向に回すように操作するとＯＮとなり、前記重畳制御部２６がＯＮ状態のスイッチに対応するデジタル情報としての効果音データを前記効果音データ記憶部２５から読み出して、効果音データをコーデック２２にデコードさせて、この出力であるアナログ情報としての効果音を入力端子９４を経て入力されたアナログ情報としての音楽と共にミキサ２３でミキシング処理を行う。この効果音が重畳された音楽は出力端子９５に出力されて、ヘッドホンを通して聞かれることになる。ここで特筆すべきは、前記重畳制御部２６の動作であり、すなわちスライダックが左右何れの方向に、どのような速さで回転させられているかを検知して、効果音データ記憶部２５から読み出した効果音データに正転・逆転の再生を行ったり、テンポを増減したりする効果を与えていることである。従ってこの実施形態の電子楽器９を用いれば、ユーザーはこれをポケットに入れたままで恰もＤＪスクラッチのような遊びを楽しむことが出来るのである。
【産業上の利用可能性】
【００３４】  この考案の電子楽器は、ドラムデータ等の記憶部に着脱自在なカードメモリ等の外部メモリを使用する設計とすることが可能である。またこの考案の電子楽器は、音楽にドラム音等の楽器音を合成して楽しむ用途に限られないから、例えば英会話の録音を聞きながらドラム音を合成してリズムを取ることは英会話学習への集中を高める場合があり、このような用途のための構成とすることが出来る。これ等もまたこの考案の権利範囲内のものである。
【図面の簡単な説明】
【００３５】
【図１】  第１実施形態の電子打楽器１の使用状態説明図である。
【図２】  同実施形態の電子打楽器回路２のブロック図である。
【図３】  同実施形態の動作状態を参考的に表すフローチャートである。
【図４】  第２実施形態の電子打楽器３のスイッチを表す説明図である。
【図５】  第３実施形態の電子打楽器４のスイッチを表す説明図である。
【図６】  第４実施形態の電子打楽器５のスイッチを表す説明図である。
【図７】  第５実施形態の電子打楽器６のスイッチを表す説明図である。
【図８】  第６実施形態の電子打楽器回路７のブロック図である。
【図９】  第７実施形態の電子打楽器９の使用状態説明図である。
【図１０】  同実施形態の電子楽器回路２４のブロック図である。
【符号の説明】
【００３６】１    電子打楽器
１０  ケース湾曲部
１１  スイッチ
１２  スイッチ
１３  スイッチ
１４  入力端子
１５  出力端子
２    電子打楽器回路
２０  ドラムデータ記憶部
２１  重畳制御部
２２  コーデック
２３  ミキサ
２４  電子楽器回路
２５  効果音データ記憶部
２６  重畳制御部
３    電子打楽器
３０  中心線
３１  スイッチ
３２  スイッチ
３３  スイッチ
４    電子打楽器
４０  中心線
４１  スイッチ
４２  スイッチ
４３  スイッチ
５    電子打楽器
５１  スイッチ
５２  スイッチ
５３  スイッチ
６    電子打楽器
６０  中心線
６１  スイッチ
６２  スイッチ
６３  スイッチ
７    電子打楽器回路
７０  ドラムデータ記憶部
７１  重畳制御部
７２  コーデック
７３  ミキサ
７４  録音部
８１  スイッチ
８２  スイッチ
８３  スイッチ
８４  入力端子
８５  出力端子
８６  入力端子
８７  録音スイッチ
９    電子楽器
９０  ケース湾曲部
９１  スライダック
９２  スライダック
９３  スライダック
９４  入力端子
９５  出力端子
【図１】
0003154465.tif 000003
【図２】
0003154465.tif 000004
【図３】
0003154465.tif 000005
【図４】
0003154465.tif 000006
【図５】
0003154465.tif 000007
【図６】
0003154465.tif 000008
【図７】
0003154465.tif 000009
【図８】
0003154465.tif 000010
【図９】
0003154465.tif 000011
【図１０】
0003154465.tif 000012
【手続補正書】
【提出日】平成21年7月17日(2009.7.17)
【手続補正１】
【補正対象書類名】実用新案登録請求の範囲
【補正対象項目名】全文
【補正方法】変更
【補正の内容】
【実用新案登録請求の範囲】
【請求項１】
複数種類の楽器の演奏データを記憶するための記憶部と、この記憶部から演奏データを読み出して再生する再生部と、複数の演奏データの各々に対応して再生のトリガとなる複数個のスイッチと、音楽プレーヤなどの外部音響機器に接続するための接続部と、この接続部から取り込んだ音声に前記再生部が出力する演奏データを重畳して出力端子に出力する重畳部と、をケースに納めた電子楽器であって、このケースの全体は衣類などのポケットに入る程度の小さなサイズのものであり、且つ前記複数個のスイッチの各々がポケットの中に入れたまま手探りで複数種類の演奏データの何れに対応するものであるかが分かるように設けられていることを特徴とする、外部音響機器に接続して用いる電子楽器。
【請求項２】
前記ケースの形状と前記スイッチとの位置関係から、スイッチと演奏データとの対応関係が分かるように構成されている、請求項１に記載の外部音響機器に接続して用いる電子楽器。
【請求項３】
前記スイッチは各々の形状が異なるものであることにより、スイッチと演奏データとの対応関係が分かるように構成されている、請求項１に記載の外部音響機器に接続して用いる電子楽器。
【請求項４】
前記スイッチは各々に設けられた突起などの識別手段が異なるものであることにより、スイッチと演奏データとの対応関係が分かるように構成されている、請求項１に記載の外部音響機器に接続して用いる電子楽器。
【請求項５】
前記複数個のスイッチの位置関係により、スイッチと演奏データとの対応関係が分かるように構成されている、請求項１に記載の外部音響機器に接続して用いる電子楽器。
【請求項６】
前記複数種類の楽器の演奏データが打楽器の演奏データである、請求項１に記載の外部音響機器に接続して用いる電子楽器。
【手続補正２】
【補正対象書類名】明細書
【補正対象項目名】００１５
【補正方法】変更
【補正の内容】
【００１５】  次に請求項６の考案では、複数種類の楽器の演奏データが打楽器の演奏データであるものとしている。この考案では各種の楽器を模すことが出来るが、音楽に合わせて身体を動かしてリズムを取る目的により適っているのは打楽器であると考えられる。従ってこれは外部音響機器に接続して用いる電子打楽器である。